【手続補正書】
【提出日】平成22年11月26日(2010.11.26)
【手続補正１】
【補正対象書類名】特許請求の範囲
【補正対象項目名】全文
【補正方法】変更
【補正の内容】
【特許請求の範囲】
【請求項１】
複製される歯パターンを有するマスタ鍵を受けて固定するように適合されているマスタ鍵クランプモジュールと、
前記マスタ鍵クランプモジュールの近傍へ向かうよう及び近傍から離れるよう移動可能に配置され、前記マスタ鍵クランプモジュールの内部の前記マスタ鍵を配置調整するマスタ鍵配置調整モジュールと、
キーブランクカッタを有する鍵切削モジュールと、
前記鍵切削モジュールと係合するよう及び係合から外れるよう自動的に移動可能であり、クランプされたマスタ鍵の歯パターンに応じて前記鍵切削モジュールで切削されるキーブランクを固定するように適合されている中央位置決めベースと、
を備える、
全自動鍵複製機。
【請求項２】
前記マスタ鍵クランプモジュールに対して固定された関係で配置され、前記マスタ鍵クランプモジュールに固定された鍵のタイプを識別するように適合されているマスタ鍵識別モジュールを備える、
請求項１に記載の全自動鍵複製機。
【請求項３】
前記マスタ鍵クランプモジュールは、前記マスタ鍵を受ける案内路と、前記マスタ鍵が前記案内路に完全に挿入されたことを検出するマスタ鍵検出器とを有する、
請求項１または２に記載の全自動鍵複製機。
【請求項４】
前記鍵切削モジュールに対して前記キーブランクが適切に配置されることを確実にするために、前記中央位置決めベースに挿入されたキーブランクを係合する付勢ガイドを備える、
請求項１から３のいずれか１項に記載の全自動鍵複製機。
【請求項５】
マスタ鍵が挿入され固定されるとともに、鍵受け案内路を有する鍵クランプと、
前記鍵受け案内路に対して略垂直方向に、前記鍵クランプの内部で移動可能に配置されるとともに、挿入された前記マスタ鍵のブレードと横方向に係合可能であり、所定のタイプの鍵の断面形状に対応する輪郭を有する、少なくとも１つのブレード断面検出器と、
を備え、
前記ブレード断面検出器が前記輪郭に対応するタイプの鍵と係合する場合に、前記輪郭は前記ブレードと略係合して、前記マスタ鍵は所定の鍵タイプであると決定される、
請求項１から３のいずれか１項に記載の全自動鍵複製機。
【請求項６】
前記マスタ鍵クランプモジュールは鍵受け案内路を有する、請求項１から３のいずれか１項に記載の全自動鍵複製機であって、
マスタ鍵が挿入され固定されるとともに、前記鍵受け案内路を有する鍵クランプと、
前記鍵受け案内路の近傍へ向かうよう及び近傍から離れるよう移動可能である配置調整ベースと、
前記鍵受け案内路に対して略垂直方向に往復運動シャフトに装着されるとともに、前記配置調整ベースから離れた位置にばね付勢され、前記マスタ鍵配置調整モジュールが前記マスタ鍵クランプモジュールの近傍にある場合に、前記マスタ鍵が前記マスタ鍵クランプモジュールに挿入されていると前記マスタ鍵と係合可能である配置調整ヘッドと、
前記配置調整ベースに配置されるマスタ鍵肩部検出スイッチと、
を備え、
前記マスタ鍵が前記鍵クランプに完全に挿入された場合に、前記マスタ鍵の肩部は、前記マスタ鍵肩部検出スイッチに当接することにより、前記マスタ鍵が完全に挿入されたことを示す、
全自動鍵複製機。
【請求項７】
複数のキーブランクを収容する少なくとも１つのマガジンと、
前記マガジンの近傍へ向かうよう及び近傍から離れるよう移動可能であり、キーブランク固定溝と、前記キーブランク固定溝の少なくとも一方の側にあって前記マガジンから前記キーブランク固定溝に挿入されたキーブランクを固定するように適合されているキーブランククランプと、を有するベースと、
前記キーブランク固定溝と略隣接している移動可能な前記ベースと係合可能であり、前記マガジンの１つに収容された最も下にあるキーブランクの後方に配置可能であり、前記最も下にあるキーブランクを前記マガジンから押し出すように適合されている往復可動プッシュロッドを有する鍵取り出しモジュールと、
を備える、
請求項１から３のいずれか１項に記載の全自動鍵複製機。
【請求項８】
マスタ鍵肩部検出スイッチを備え、
前記マスタ鍵が前記マスタ鍵クランプモジュールに完全に挿入された場合に、挿入された前記マスタ鍵の肩部は、前記マスタ鍵肩部検出スイッチと当接する、
請求項１から３のいずれか１項に記載の全自動鍵複製機。
【請求項９】
前記鍵切削モジュールは、
切削鍵クリーナと、
前記キーブランクカッタを完全ではないが略包囲しているとともに、前記キーブランクカッタの一部を切削のために露出させる第１ウィンドウを有する第１筐体と、
前記切削鍵クリーナを完全ではないが略包囲しているとともに、前記切削鍵クリーナの一部をクリーニングのために露出させる第２ウィンドウを有する第２筐体と、
前記第１筐体及び前記第２筐体と連通するとともに、前記キーブランクカッタ及び前記切削鍵クリーナの略周囲に負圧を生成することによりキーブランクの切削及びキーブランクのクリーニングの際に生成される残骸を略除去する真空源と、
をさらに備える、
請求項１から３のいずれか１項に記載の全自動鍵複製機。
【請求項１０】
前記キーブランクカッタは、第１方向に回転可能な切削ホイールを有し、
前記第１方向と反対方向の第２方向に回転可能なクリーニングホイールを有する切削鍵クリーナを備える、
請求項１から３のいずれか１項に記載の全自動鍵複製機。
【請求項１１】
複数のキーブランクを収容する少なくとも１つのマガジンを備え、
前記中央位置決めベースは、前記マガジンの近傍へ向かうよう及び近傍から離れるよう移動可能であるとともに、前記キーブランクの１つを前記少なくとも１つのマガジンから取り出して、取り出された前記キーブランクを前記鍵切削モジュールへ移動させるように適合されている、
請求項１から３のいずれか１項に記載の全自動鍵複製機。
【請求項１２】
クランプベースの案内路に挿入されたマスタ鍵を、挿入された前記マスタ鍵の外側に面している歯側を押し下げることによって、配置調整するステップと、
前記案内路に前記マスタ鍵が完全に挿入されたことを検出するステップと、
前記マスタ鍵のブレードの軸に対して略垂直方向に、前記クランプベースに向かって前記ブレードにロッキング力を加えるステップと、
前記マスタ鍵が前記ロッキング力を加えるステップを受けると同時に、前記マスタ鍵をクランプするステップと、
従動器を有する移動可能なベースに切削されるキーブランクを固定するステップと、
固定された前記ブランクを鍵カッタに対して押し付けると同時に、前記マスタ鍵の歯パターンに対して前記移動可能なベースの前記従動器を押し付けるステップと、
を備える、
マスタ鍵を複製する完全自動化方法。
【請求項１３】
鍵の複数の物理的なパラメータを決定することによって、どのモデルのマスタ鍵がクランプされているかを識別するステップを備える、
請求項１２に記載のマスタ鍵を複製する完全自動化方法。
【請求項１４】
少なくとも１つのマガジンに収容される複数のキーブランクからキーブランクを取り出すステップを備える、
請求項１２に記載のマスタ鍵を複製する完全自動化方法。
【請求項１５】
従動器を有する第２のベースに切削されるキーブランクを固定するステップであって、前記キーブランクと前記従動器とが互いに相対的に固定されているステップを備える、
請求項１２に記載のマスタ鍵を複製する完全自動化方法。